(57)【要約】      （修正有）【課題】タイヤの販売を、スペースを取らずに、且つ迅速に、そのお客さんにカスタマイズされた情報を提供する。【解決手段】ガソリンを入れに来たお客さんのタイヤの側面に記載されたタイヤサイズ等の情報を目視によりタイヤサイズ等の控を取り、ガソリンスタンド内のＰＣにタイヤサイズ等の情報を入力し、装着されているタイヤと同等のタイヤ又は代替となり得る複数種類のタイヤの個々の価格と、その価格に対する色々なキャンペーン毎に於ける割引料率とそれを基にした割引料金と、一般小売価格と、そのタイヤ又は代替と成り得る複数種類のタイヤの特徴と画像等とを、即座にプリントアウトして、ガソリンを入れ終わるか終わらないうちに、そのお客さんに渡せるようにしたＧＳＳに於けるタイヤ販売方法。【選択図】図１
2012022659.tif 000002
【特許請求の範囲】
【請求項１】
ガソリンスタンドに於けるタイヤの販売方法であって、ガソリン等を入れに来たお客さんのタイヤの側面に記載されたタイヤサイズ等の情報を目視によりタイヤサイズ等の控を取り、ガソリンスタンド内のＰＣにタイヤサイズ等の情報を入力し、装着されているタイヤと同等のタイヤ又は代替と成り得る複数種類のタイヤの個々の価格と、その価格に対する色々なキャンペーン毎に於ける割引料率とそれを基にした割引料金と、一般小売価格と、そのタイヤ又は代替と成り得る複数種類のタイヤの特徴と画像等とを、即座にプリントアウトして、ガソリンを入れ終わるか終わらないうちに、そのお客さんに渡せるようにした事を特徴とするガソリンスタンドに於けるタイヤ販売方法。
【請求項２】
前記割引料率に更にそのお客さんの来店頻度、購買高等を即座に計算して割引率をプラスする事を特徴とする請求項１に記載のタイヤ販売方法。
【請求項３】
前記代替と成り得る複数種類のタイヤの中に、お客さんの現在の装着タイヤのインチアップサイズ、又は、インチダウンサイズのタイヤを含む事を特徴とする請求項１記載のタイヤ販売方法。
【発明の詳細な説明】
【技術分野】
【０００１】本発明は、ガソリンスタンドに於いての車のタイヤの販売方法に関する。
【背景技術】
【０００２】従来、ガソリンスタンドに於ける車のタイヤの販売方法としては、ガソリンスタンドの敷地内に、タイヤの見本を山積みし、お客にアピールする方法や、タイヤのチラシを、ガソリン等を入れに来たお客に渡す程度しか出来なかった。【０００３】又、特開２００３−１２２９７０の様に、車の車種データ、型式データにより、マッチングするタイヤとホイールの組合せを取得する方法が過去に開示されてはいる。
【特許文献１】特開２００３−１２２９７０
【発明の開示】
【発明が解決しようとする課題】
【０００４】しかし、特許文献１の様に、ガソリンスタンドにガソリンを入れに来たお客さんに、車の車種データや型式データを詳しく聞きそれをＰＣに入力し出力するということは、ガソリンを入れている間に出来る事ではなく、手間が掛かり過ぎる。【０００５】又、上記ガソリンスタンドの敷地内にタイヤの見本を山積みし、その中から見てもらう方法は、無駄にスペースを取るだけであり、又、タイヤのチラシを渡すだけでは、お客さんの反応も今一つで、熱心にはタイヤの購買を検討してくれない。
【課題を解決するための手段】
【０００６】そこで本発明に於いては、上記課題を解決する為に、即ち、タイヤの購買意欲を少しでも上げ、販売を促進する為に、以下の方法を提供する。【０００７】先ず、ガソリンを入れに来たお客さんのタイヤの側面に記載されたタイヤサイズ等の情報を目視によりタイヤサイズ等の控を取り、ガソリンスタンド内のＰＣにタイヤサイズ等の情報を入力し、装着されているタイヤと同等のタイヤ又は同等の複数種類のタイヤの個々の価格と、その価格に対する色々なキャンペーン毎に於ける割引料率とそれを基にした割引料金と、一般小売価格と、そのタイヤ又は代替と成り得る複数種類のタイヤの特徴と画像等とを、即座にプリントアウトして、ガソリンを入れ終わるか終わらないうちに、そのお客さんに渡せるようにした事を特徴とするガソリンスタンドに於けるタイヤ販売方法の提供。【０００８】更に、前記割引料率に更にそのお客さんの来店頻度、購買高等を即座に計算して割引率をプラスする事を加味した。【０００９】そして、お客さんの現在の装着タイヤのインチアップサイズ、又は、インチダウンサイズのタイヤを、お客さんの好みにより提示する事が出来る方法も含む。
【発明の効果】
【０００９】上記方法により、無駄な土地スペースを使用する事無く、そのお客さんに適したタイヤの情報を的確に渡す事が出来るので、お客さんの興味を引き起こし、購買意欲を刺激し、売上を伸ばす事が可能となる。そして、何より、ガソリンを入れている間に、仕上がって来るので、お客さんを待たせる事が無く、カスタマイズされた情報の提供が可能となる。
【図面の簡単な説明】
【００１０】
【図１】本発明の入力表図
【図２】本発明の見積書（お客様控え）プリントアウト図
【図３】本発明の見積書（店舗側控え）プリントアウト図
【図４】本発明の見積書（一般小売価格）プリントアウト図
【図５】本発明のインチアップ・ダウン入力表図
【発明を実施するための最良の形態】
【００１１】以下、実際の帳票等、実施例に基づいて説明する。
【実施例１】
【００１２】先ず、ガソリンを入れに来たお客さんのタイヤの側面に記載されたタイヤサイズ等の情報、例えば、１７５／６０Ｒ１４  ＰＲ６、それに車のカテゴリーと、タイヤメーカー名が入って入ればそれらを目視で控を取り、更にお客さんの名前が解っていれば名前を、解らないお客さんであれば車のナンバーを控える。勿論これは了解を得て行う事となる。【００１３】そして、ガソリンスタンド内のＰＣに前記タイヤサイズ等の情報を入力する。図１はその入力画面図であり、急いでいる時であれば、タイヤ種類、例えば、夏タイヤ、スタッドレスタイヤ等をプルダウンリストより選び、そして、上記の例で行くと、タイヤ幅１７５ｍｍ、扁平率６０％、リム径１４インチ、それにキャンペーン名のみを入力するだけでも良い。急がない通常の場合は、上記タイヤ種類、タイヤ幅、扁平率、リム径、キャンペーン名の他に、次にタイヤメーカー名も同じくプルダウンリストより選ぶ。更に、車のカテゴリー、例えば、乗用車、ミニバン、商用車等をプルダウンリストより選ぶ。対象タイヤの検索及び選択をする。タイヤ画像、タイヤ名、特徴等を画面表示する。上記タイヤサイズは、例えば上記例の如く、タイヤ幅１７５ｍｍ、扁平率６０、リム径１４インチであり、タイヤ強度（ＰＲ）又は、ロードインデックス及びスピードレンジを入力しタイヤ検索をする。本発明の場合はタイヤ強度（ＰＲ）にしてある。又、お客さんの希望により、タイヤメーカーを全社指定にする事も可能で、その場合、複数の種類のタイヤが選ばれ表示可能となる。【００１４】そして、検索されたタイヤに対する割引率、これはキャンペーン名にリンクしていて且つ変更も可能な様にしておく。キャンペーン中で無い場合の割引率は異なってくることは言うまでも無い。そして、購入本数、販売価格、見積価格、工賃これはプルダウンリストから選ぶ。そして暫定見積り額・利益金額等を計算する。以上から見積書を印刷する。【００１５】勿論、各プルダウンリストに対する各マスタはＰＣの中に格納されている。【００１６】そして、出力・印刷される物は、図２のお客様控えの見積書と、図３の店舗控え、それと一般小売価格の見積もり書である。【００１７】図２は、見積りしたタイヤの画像と、タイヤ名、その特徴、一般小売価格に対する割引掛け率、タイヤの単価×買い予定本数、工賃、廃タイヤ処理料、が即座に画面に出力され、プリントアウトされる。此処で、対象となるタイヤは上述したように複数の種類であっても良い。【００１８】図３は見積書の店舗側の控であるが、これは前記お客様の見積書の控に、店側の販売利益を表示し、店員による裁量値引き可能額をこれに掛けて呈示出来る事となる。【００１９】図４は、お客様に渡す、一般小売価格の見積書であり、これを比較の対象としてキャンペーン中が如何にお買い得かを呈示し決断を促す基となる。【００２０】図５は、お客さんの現在の装着タイヤのインチアップサイズ、又は、インチダウンサイズのタイヤを望む場合の入力画面図であり、図１の場合に加えて、インチアップ、インチダウンの計算の表が入る。これは例えば、タイヤサイズの情報入力表の、お客さんの現在のタイヤサイズの中のインチ（リム径）の中にタイヤサイズのインチ数を入力す��。そうして、インチアップ・インチダウンサイズの計算の欄横のダウンリストによりサイズアップかサイズダウンかを選ぶ。そうするとその下のインチ（リム径）のダウンリスト内に１インチアップされたサイズか１インチダウンされたサイズが自動的に入力される。上述した例であれば、１４インチがお客さんの現在のタイヤノリム径であるから、自動的にインチアップの場合は１５インチが、インチダウンの場合は１３インチが入ってくる。【００２１】そうして後はタイヤ幅か扁平率を車の用途等によりどちらかを決める。そうすると後のどちらかは自動的に決まってくる。これは、お客さんの現在のタイヤ幅１７５ｍｍ×６０％（扁平率）×２＋１４×２５．４ｍｍにより導かれたタイヤの直径５６１．６ｍｍの近似値になるようにタイヤ幅か扁平率のどちらかが決まればもう一方が自動的に決まってくる。【００２２】上記図の中で、お客さんに渡すのは、図２に示された見積書（お客様控え）と図４に示された見積書（一般小売価格）であり、これは直ぐにプリントアウトされ、お客さんに迅速に渡され、そのお客さんにカスタマイズされた物が直ぐに手に出来、お客さんの関心度・購買意欲が自然と涌いて来る事となる。
【図１】
2012022659.tif 000003
【図２】
2012022659.tif 000004
【図３】
2012022659.tif 000005
【図４】
2012022659.tif 000006
【図５】
2012022659.tif 000007